(57)【特許請求の範囲】
【請求項１】
番組の映像信号を記録し、再生する映像信号記録再生装置において、
記録する番組に関連する関連情報として、前記番組の映像信号とともに供給される番組情報からジャンル情報を抽出する抽出手段と、
記録する番組の前記映像信号から、画面上に人の顔および文字が表示されている第１のタイプ、画面上にコンピュータグラフィックスが表示されている第２のタイプ、前記番組の映像信号から所定の時間間隔で抽出される第３のタイプ、またはＣＭ終了直後の第４のタイプに適合する番組代表画像候補を検出する検出手段と、
検出された前記番組代表画像候補に対し、抽出された前記ジャンル情報に応じた評価値を付与する付与手段と、
前記番組の前記映像信号を記録するとともに、検出された前記番組代表画像候補に対して付与された前記評価値も記録する記録手段と
を含む映像信号記録再生装置。
【請求項２】
前記付与手段は、ジャンル毎に前記第１乃至第３のタイプにそれぞれ適合する前記番組代表画像候補に付与すべき評価値が対応付けられているテーブルを参照することにより、検出された前記番組代表画像候補に対し、抽出された前記ジャンル情報に応じた評価値を付与する
請求項１に記載の映像信号記録再生装置。
【請求項３】
番組の映像信号を記録し、再生する映像信号記録再生装置の映像信号記録再生方法において、
記録する番組に関連する関連情報として、前記番組の映像信号とともに供給される番組情報からジャンル情報を抽出する抽出ステップと、
記録する番組の前記映像信号から、画面上に人の顔および文字が表示されている第１のタイプ、画面上にコンピュータグラフィックスが表示されている第２のタイプ、前記番組の映像信号から所定の時間間隔で抽出される第３のタイプ、またはＣＭ終了直後の第４のタイプに適合する番組代表画像候補を検出する検出ステップと、
検出された前記番組代表画像候補に対し、抽出された前記ジャンル情報に応じた評価値を付与する付与ステップと、
前記番組の前記映像信号を記録するとともに、検出された前記番組代表画像候補に対して付与された前記評価値も記録する記録ステップと
を含む映像信号記録再生方法。
【請求項４】
番組の映像信号を記録し、再生する映像信号記録再生装置の制御用のプログラムであって、
記録する番組に関連する関連情報として、前記番組の映像信号とともに供給される番組情報からジャンル情報を抽出する抽出ステップと、
記録する番組の前記映像信号から、画面上に人の顔および文字が表示されている第１のタイプ、画面上にコンピュータグラフィックスが表示されている第２のタイプ、前記番組の映像信号から所定の時間間隔で抽出される第３のタイプ、またはＣＭ終了直後の第４のタイプに適合する番組代表画像候補を検出する検出ステップと、
検出された前記番組代表画像候補に対し、抽出された前記ジャンル情報に応じた評価値を付与する付与ステップと、
前記番組の前記映像信号を記録するとともに、検出された前記番組代表画像候補に対して付与された前記評価値も記録する記録ステップと
を含む処理を映像信号記録再生装置のコンピュータに実行させるプログラムが記録されている記録媒体。
【発明の詳細な説明】
【０００１】
【発明の属する技術分野】
本発明は、映像信号記録再生装置および方法、並びに記録媒体に関し、特に、記録メディアに映像信号を記録するとき、再生開始推奨位置も記録するようにした映像信号記録再生装置および方法、並びに記録媒体に関する。
【０００２】
【従来の技術】
記録媒体に記録された番組あるいは番組群の内容を把握する場合や、検索を行なったりする場合に、表示画面に縮小された静止画あるいは動画を複数表示し、それを参照することで、番組内容を把握したり、所望の番組や番組内のシーンを選択する方法がある。
【０００３】
従来はこのように提示された代表画面群は、番組開始直後のみであったり、一定時間毎に抽出されたもののみであったりした。
【０００４】
【発明が解決しようとする課題】
ところで、上述した方法で代表画面を決定する際に、例えば、人の顔とテロップが混在している画面を代表画面として検出した場合に、記録された番組のジャンルが「ニュース」である場合にはこれが代表画面として適当である可能性が比較的高いが、番組のジャンルが「映画」である場合には、その画面が有意味である可能性は低いという問題があった。
【０００５】
よって、このような方法で決定された代表画面を、ユーザが番組の内容を把握したり、再生開始位置を決定するときの推奨位置として使用するには、十分ではないという課題があった。
【０００６】
本発明はこのような状況に鑑みてなされたものであり、ユーザが番組の内容を把握したり、再生開始位置を決定するときの推奨位置として使用できる位置を検出し、記録できるようにすることを目的とする。
【０００７】
【課題を解決するための手段】
本発明の映像信号記録再生装置は、記録する番組に関連する関連情報として、番組の映像信号とともに供給される番組情報からジャンル情報を抽出する抽出手段と、記録する番組の映像信号から、画面上に人の顔および文字が表示されている第１のタイプ、画面上にコンピュータグラフィックスが表示されている第２のタイプ、番組の映像信号から所定の時間間隔で抽出される第３のタイプ、またはＣＭ終了直後の第４のタイプに適合する番組代表画像候補を検出する検出手段と、検出された番組代表画像候補に対し、抽出されたジャンル情報に応じた評価値を付与する付与手段と、番組の映像信号を記録するとともに、検出された番組代表画像候補に対して付与された評価値も記録する記録手段とを含む。
【０００８】
前記付与手段は、ジャンル毎に第１乃至第３のタイプにそれぞれ適合する番組代表画像候補に付与すべき評価値が対応付けられているテーブルを参照することにより、検出された番組代表画像候補に対し、抽出されたジャンル情報に応じた評価値を付与するようにすることができる。
【０００９】
本発明の映像信号記録再生方法は、記録する番組に関連する関連情報として、番組の映像信号とともに供給される番組情報からジャンル情報を抽出する抽出ステップと、記録する番組の映像信号から、画面上に人の顔および文字が表示されている第１のタイプ、画面上にコンピュータグラフィックスが表示されている第２のタイプ、番組の映像信号から所定の時間間隔で抽出される第３のタイプ、またはＣＭ終了直後の第４のタイプに適合する番組代表画像候補を検出する検出ステップと、検出された番組代表画像候補に対し、抽出されたジャンル情報に応じた評価値を付与する付与ステップと、番組の前記映像信号を記録するとともに、検出された番組代表画像候補に対して付与された評価値も記録する記録ステップとを含む。
【００１０】
本発明の記録媒体は、記録する番組に関連する関連情報として、番組の映像信号とともに供給される番組情報からジャンル情報を抽出する抽出ステップと、記録する番組の映像信号から、画面上に人の顔および文字が表示されている第１のタイプ、画面上にコンピュータグラフィックスが表示されている第２のタイプ、番組の映像信号から所定の時間間隔で抽出される第３のタイプ、またはＣＭ終了直後の第４のタイプに適合する番組代表画像候補を検出する検出ステップと、検出された番組代表画像候補に対し、抽出されたジャンル情報に応じた評価値を付与する付与ステップと、番組の映像信号を記録するとともに、検出された番組代表画像候補に対して付与された評価値も記録する記録ステップとを含む処理を映像信号記録再生装置のコンピュータに実行させるプログラムが記録されている。
【００１１】
本発明においては、記録する番組に関連する関連情報として、番組の映像信号とともに供給される番組情報からジャンル情報が抽出され、記録する番組の映像信号から、画面上に人の顔および文字が表示されている第１のタイプ、画面上にコンピュータグラフィックスが表示されている第２のタイプ、番組の映像信号から所定の時間間隔で抽出される第３のタイプ、またはＣＭ終了直後の第４のタイプに適合する番組代表画像候補が検出され、検出された番組代表画像候補に対し、抽出されたジャンル情報に応じた評価値が付与され、番組の映像信号が記録されるとともに、検出された番組代表画像候補に対して付与された評価値も記録される。
【００１２】
【発明の実施の形態】
以下図面を用いて、本発明の一実施の形態であるハードディスクレコーダについて説明する。
【００１３】
図１は、ハードディスクレコーダの構成例を示すブロック図である。アンテナ１は、テレビジョン放送を受信し、その受信信号をチューナ２に供給する。チューナ２は、システムコントローラ３１の指令に基づいて、アンテナ１からの放送波の受信信号の中から、所定のチャンネルの番組の信号を受信し、入力切換器５に供給する。
【００１４】
図示せぬ外部装置は、外部ビデオ入力端子３−１を介してＳ映像信号（Ｙ信号（輝度信号）とＣ信号（色信号）の分離信号）をスイッチ９の端子ａに入力する。また、外部装置は、外部ビデオ入力端子３−２を介してコンポジット映像信号を、また、外部オーディオ入力端子４を介して音声信号を、それぞれ入力切換器５に入力する。
【００１５】
入力切換器５は、システムコントローラ３１の指令に基づいて、入力された映像信号または音声信号のうち、所望の信号を選択し、コンポジット映像信号をＹＣ分離回路８に、音声信号をA/D(Analog to Digital)変換器６に、それぞれ出力する。
【００１６】
A/D変換器６は、入力切換器５より入力された音声信号をA/D変換し、MPEG(Moving Picture Experts Group)オーディオエンコーダ７に供給する。A/D変換器６はまた、A/D変換した音声データをスイッチ２５の端子ｂに供給する。MPEGオーディオエンコーダ７は、システムコントローラ３１の指令に基づいて、A/D変換器６より供給された音声データに対して、MPEG方式で圧縮処理し、音声のエレメンタリストリーム（ＥＳ：Elementary Stream）を生成し、マルチプレクサ／デマルチプレクサ１４に供給する。
【００１７】
ＹＣ分離回路８は、システムコントローラ３１の指令に基づいて、入力切換器５より入力されたコンポジット映像信号を、輝度信号（Ｙ信号）と色信号（Ｃ信号）に分離し、スイッチ９の端子ｂを介してNTSC(National Television System Committee)デコーダ１０に供給する。スイッチ９は、システムコントローラ３１の指令に基づいて、外部装置からのＳ映像信号をNTSCデコーダ１０に供給するとき、端子ａを選択するように切り替えられ、ＹＣ分離回路８からの映像分離信号をNTSCデコーダ１０に供給するとき、端子ｂを選択するように切り替えられる。
【００１８】
NTSCデコーダ１０は、システムコントローラ３１の指令に基づいて、スイッチ９を介して入力された映像信号に対して、A/D変換処理、およびクロマエンコード処理等を施し、それをデジタルコンポーネントビデオ信号（以下、画像データと記載する）に変換し、プリ映像信号処理回路１２に供給する。NTSCデコーダ１０はまた、入力された映像信号の水平同期信号に基づいてクロックを生成するとともに、同期分離して得られた水平同期信号、垂直同期信号、およびフィールド判別信号を同期信号制御回路１１に供給する。
【００１９】
同期信号制御回路１１は、システムコントローラ３１の指令に基づいて、NTSCデコーダ１０より供給された水平同期信号、垂直同期信号、およびフィールド判別信号を基準として、クロックおよび同期信号を生成し、各部にそれぞれ供給する。
【００２０】
プリ映像信号処理回路１２は、システムコントローラ３１の指令に基づいて、NTSCデコーダ１０より供給された画像データに対して、プリフィルタ等の映像信号処理を施すことによって代表画面を検出し、MPEGビデオエンコーダ１３およびポスト映像信号処理回路２０に供給する。MPEGビデオエンコーダ１３は、システムコントローラ３１の指令に基づいて、プリ映像信号処理回路１２より供給された画像データに対して、離散コサイン変換（DCT：Discrete Cosine Transform）等の符号化処理を施し、映像のエレメンタリストリームを生成し、マルチプレクサ／デマルチプレクサ１４に供給する。
【００２１】
マルチプレクサ／デマルチプレクサ１４は、記録時、システムコントローラ３１の指令に基づいて、MPEG方式で圧縮されている、映像のエレメンタリストリーム、音声のエレメンタリストリーム、および、各種の制御信号を、マルチプレクス処理し、例えば、MPEG方式のトランスポートストリーム（ＴＳ：Transport Stream）を生成し、バッファコントローラ１７に供給する。マルチプレクサ／デマルチプレクサ１４はまた、再生時、バッファコントローラ１７より供給されたMPEG方式のトランスポートストリームをデマルチプレクス処理し、トランスポートストリームからパケッタイズドエレメンタリストリーム（PES:Packetized Elementary Stream）を抽出し、MPEG AVデコーダ１９に供給する。
【００２２】
バッファコントローラ１７は、システムコントローラ３１の指令に基づいて、マルチプレクサ／デマルチプレクサ１４より、連続的に供給されるトランスポートストリームを、ハードディスクドライブ（HDD：Hard Disc Drive）１８に断続的に供給できるように制御する。例えば、ハードディスクドライブ１８がシーク動作を行っている場合、トランスポートストリームの書き込みができないため、一時的にトランスポートストリームがバッファに蓄積され、書き込みが可能になると、入力レートより高いレートで書き込みが行われる。これにより、連続的に入力されるトランスポートストリームが、途切れることなくハードディスクドライブ１８に記録される。
【００２３】
バッファコントローラ１７はまた、ハードディスクドライブ１８より断続的に入力される信号を、連続するようにバッファ制御を行い、連続するトランスポートストリームをマルチプレクサ／デマルチプレクサ１４に供給する。
【００２４】
ハードディスクドライブ１８は、システムコントローラ３１の指令に基づいて、バッファコントローラ１７より断続的に供給されるトランスポートストリームを、所定のアドレスに記録する。ハードディスクドライブ１８はまた、所定のアドレスにシークし、そこに記録されているトランスポートストリームを読み出し、バッファコントローラ１７に供給する。
【００２５】
なお、バッファコントローラ１７およびハードディスクドライブ１８は、プロトコルとしてIDE(Integrated Drive Electronics)を用いているが、本発明では、トランスポートストリームを記録できるものであれば、これに限らなくてよい。
【００２６】
MPEG AVデコーダ１９は、システムコントローラ３１の指令に基づいて、マルチプレクサ／デマルチプレクサ１４より供給されたPESを、映像のエレメンタリストリームと音声のエレメンタリストリームに分離し、所定のデコード処理を施し、ベースバンドの画像データをポスト映像信号処理回路２０に、ベースバンドの音声データをポスト音声信号処理回路２４にそれぞれ供給それぞれ供給する。
【００２７】
ポスト映像信号処理回路２０は、システムコントローラ３１の指令に基づいて、プリ映像信号処理回路１２より供給された映像信号と、MPEG AVデコーダ１９より供給されたベースバンドの映像データとを切換えたり、合成したり、あるいはフィルタ処理し、オンスクリーンディスプレイ(On Screen Display)回路２１に供給する。ポスト映像信号処理回路２０はまた、画像表示用のウィンドウ（GUI：Graphic User Interface）等を生成するとともに、画像データの代表画面を生成して、そのウィンドウに貼り付け、オンスクリーンディスプレイ回路２１に供給する。
【００２８】
オンスクリーンディスプレイ回路２１は、システムコントローラ３１の指令に基づいて、テキスト情報を対応する画像データに変換し、ポスト映像信号処理回路２０から供給される画像データに重畳し、NTSCエンコーダ２２に供給する。NTSCエンコーダ２２は、システムコントローラ３１の指令に基づいて、オンスクリーンディスプレイ回路２１より供給された画像データ（コンポーネントデジタル信号）をＹ信号とＣ信号に変換した後、D/A変換したＳ映像信号と、アナログのコンポジット映像信号を生成し、それぞれを、外部ビデオ出力端子２３−１，２３−２を介して外部装置に出力する。
【００２９】
ポスト音声信号処理回路２４は、システムコントローラ３１の指令に基づいて、MPEG AVデコーダ１９より供給されたベースバンドの音声データに対して、フィルタ処理、フェード処理、および、話速変換処理等を施し、スイッチ２５の端子ａに供給する。
【００３０】
スイッチ２５は、システムコントローラ３１の指令に基づいて、ポスト音声信号処理回路２４からの音声データをD/A変換器２６に供給するとき、端子ａを選択するように切り替えられ、A/D変換器６からの音声データをD/A変換器２６に供給するとき、端子ｂを選択するように切り替えられる。D/A変換器２６は、スイッチ２５を介して入力された音声データをD/A変換して、外部オーディオ出力端子２７を介して外部装置に出力する。
【００３１】
システムコントローラ３１は、ホストバス３２を介してROM(Read Only Memory)３３に格納されているプログラムを読み出して実行し、各部を制御する。RAM(Random Access Memory)３４には、システムコントローラ３１が各部を制御する上において必要なプログラムやデータが適宜記憶される。システムコントローラ３１、ROM３３、およびRAM３４は、ホストバス３２を介して相互に接続されているとともに、入出力インターフェース３５にも接続されている。入出力インターフェース３５には、ドライブ３６が接続されており、磁気ディスク４１、光ディスク４２、光磁気ディスク４３、または半導体メモリ４４などが装着されるようになされている。入出力インタフェース３５にはまた、キーボード、マウス、ボタン、スイッチ、リモートコマンダ等よりなる入力部３７が接続されている。
【００３２】
また、ハードディスクレコーダは、アナログ信号の入出力だけでなく、デジタルデータの入出力を行うことも可能である。例えば、図示せぬIRD(Integrated Receiver Decoder)は、トランスポートストリームを、IEEE(The Institute of Electrical and Electronics Engineers)１３９４シリアルバスを介して、デジタル入出力端子１６からデジタルインタフェース１５に入力する。デジタルインタフェース１５は、システムコントローラ３１の指令に基づいて、インタフェース処理を施し、入力されたトランスポートストリームを、マルチプレクサ／デマルチプレクサ１４に供給する。マルチプレクサ／デマルチプレクサ１４は、システムコントローラ３１の指令に基づいて、デジタルインタフェース１５より供給されたトランスポートストリームを、バッファコントローラ１７に出力する。
【００３３】
マルチプレクサ／デマルチプレクサ１４はまた、バッファコントローラ１７より供給されたトランスポートストリームを、デジタルインタフェース１５に出力する。デジタルインタフェース１５は、マルチプレクサ／デマルチプレクサ１４より入力されたトランスポートストリームを、デジタル入出力端子１６から、IEEE１３９４シリアルバスを介して外部のIRDに供給し、そこに接続されているモニタに出力、表示させる。
【００３４】
なお、上述した例では、ハードディスクレコーダとIRDとを接続するようにして説明したが、本発明は、これに限らず、パーソナルコンピュータなどと接続することも可能である。
【００３５】
また、映像信号をMPEG方式で圧縮するようにして説明したが、本発明は、これに限らず、他の圧縮方式または非圧縮でもよい。
【００３６】
また、ハードディスク１８の代わりに光ディスク、光磁気ディスク、個体メモリなどの記録メディアを用いるようにしてもよい。
【００３７】
次に、プリ映像信号処理回路１２が代表画面を検出するときに用いるアルゴリズムを、番組情報に基づいて変更する方法について説明する。
【００３８】
ここで、画面にテロップがある画面や、画面に人間の顔が存在している画面や、コンピュータグラフィックスなどの色が鮮やかな画面がある画面などを検出することができる。
【００３９】
この方法で得られる代表画面に重要度の評価値を付け、番組全体で検出された代表画面群の中から評価値の最も高いものを、その番組の内容を最もよく表している代表画面にするようにする。
【００４０】
ここでは番組情報を使う一例として、ＢＳディジタル放送やＣＳディジタル放送などの放送信号に含まれるＳＩ(ServiceInformation)の番組ジャンル情報を使う方法を説明する。BSデジタル放送の運用規定の一部であるARIB TR-B15では、ＳＩに番組ジャンルの大分類（ニュース、スポーツ、ドラマ、バラエティなど）と中分類（大分類がニュースである場合、天気、政治、討論、地域など）が規定されており、現在記録中の番組（チャンネル）のＳＩを解析することにより、ジャンル情報を取得することができる。
【００４１】
代表画面検出方法として、人間の顔とテロップが含まれる画面（タイプ１）と、コンピュータグラフィックスなどでよく現われる色が鮮やかな画面（タイプ２）および一定時間（例えば5分毎）の画面（タイプ３）、ＣＭが終了した直後の画面（タイプ４）を検出することを考える。
【００４２】
番組のジャンルが、ニュース（ジャンル１）とバラエティ（ジャンル２）である２つの番組を記録しながら、代表画面の重み付けを決定する方法について、図２のフローチャートを参照して説明する。
【００４３】
記録が開始されたら、ステップＳ１において、記録している番組のＳＩからジャンル情報を取得し、ステップＳ２において、プリ映像信号処理回路１２は、記録するフレームが代表画面になり得るか否かを判定する。
【００４４】
ステップＳ２で代表画面と成り得ると判定された場合、ステップＳ３において、そのジャンル情報とタイプに応じて、代表画面検出の評価値を決定する。ここでは、図３に示すようなテーブルを用いて、代表画面に対して評価値をつけていく。例えば、現在記録中の番組がジャンル１であり、プリ映像信号処理回路１２で得られた代表画面がタイプ１である場合は８０点、タイプ２である場合は２０点、またはタイプ３である場合は１０点を評価値とする。現在記録中の番組がジャンル２である場合も同様に評価値を与える。
【００４５】
ステップＳ４において、ステップＳ３で与えられた評価値を代表画面情報として記録媒体に記録する。記録された評価値は、再生時にユーザに再生開始番組の代表画面や番組中の推奨再生開始位置を提示する際に利用される。
【００４６】
このようにすることで、ジャンルに応じて、重要度を高くする代表画面の種類を自動的に変更することができ、結果として、番組がニュースであれば、テロップと顔が存在する画面、バラエティであれば、鮮やかな色彩の画面を優先的に検出することができる。それらが検出されない場合には、ＣＭが終了して本編に入った画面や、一定時間毎に取られたものから代表画面が選ばれることになる。
【００４７】
ステップＳ５において、番組の記録が終了したか否かが判定され、終了されたと判定されるまで、ステップＳ２に戻りそれ以降の処理が繰り返される。
【００４８】
次にユーザが代表画面を使ってタイトルの再生を開始する方法を図４のフローチャートを参照して説明する。
【００４９】
外部装置としてのディスプレイなどには、ハードディスク１８に記録されているタイトル群のそれぞれの代表画面の一覧が図５のＡ乃至Ｅに示すように表示される。選択されている代表画面はハイライト表示され、その拡大画面がＦに表示される。ステップＳ１１において、ユーザは、画面上でカーソルを移動させ、再生を開始したい画面に合わせて選択する。
【００５０】
ステップＳ１２において、再生を開始すべき代表画面の再生位置がハードディスク１８から読み出される。
【００５１】
ステップＳ１３において、読み出されたフレームの位置情報から、そのフレームからの再生開始に必要なストリームがある場所が検知され、ハードディスク１８からデータが読み出されて、再生が開始される。
【００５２】
なお、本実施の形態においては、ＳＩに含まれるジャンルを用いたが、地上波放送に重畳されるEPG情報を用いて同様の処理を行なうこともできる。また、インタネットなどのネットワークから得られる情報からジャンルを取得できた場合も同様である。光ディスクなどの記録媒体によって、番組情報やジャンル情報が提供される場合でもその情報を使うことができるし、手動でユーザが自らジャンルを設定した場合でも同様である。
【００５３】
また、番組のジャンル情報を用いる以外に、もちろんその他の情報を使って自動的に代表画面検出アルゴリズムを変更することは可能である。例えば、番組情報として、その代表画面の位置、あるいは各々のシーンの情報が直接配信されるようになっている場合には、その情報を利用して代表画面を決定するというアルゴリズムにすることもできる。
【００５４】
また、番組情報として緊急のニュースなどを含む臨時サービス情報が取得できた場合には、その場面における代表画面検出アルゴリズムを、「緊急のニュース画面を最も重要な代表画面にする」に切りかえるようにすることもできる。
【００５５】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００５６】
この記録媒体は、図１に示すように、コンピュータとは別に、ユーザにプログラムを提供するために配布される、プログラムが記録されている磁気ディスク４１（フロッピディスクを含む）、光ディスク４２（CD-ROM(Compact Disc-Read Only Memory)、DVD(Digital Versatile Disc)を含む）、光磁気ディスク４３（ＭＤ(Mini Disc)を含む）、もしくは半導体メモリ４４などよりなるパッケージメディアにより構成されるだけでなく、コンピュータに予め組み込まれた状態でユーザに提供される、プログラムが記録されているROMやハードディスクなどで構成される。
【００５７】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００５８】
また、本明細書において、システムとは、複数の装置により構成される装置全体を表すものである。
【００５９】
【発明の効果】
以上のように、本発明によれば、ユーザが番組の内容を把握したり、再生開始位置を決定するときの推奨位置として使用できる位置を検出し、記録することが可能となる。
【図面の簡単な説明】
【図１】本発明の一実施の形態であるハードディスクレコーダの構成例を示すブロック図である。
【図２】ハードディスクレコーダの記録時の動作を説明するフローチャートである。
【図３】本発明の一実施例によるジャンルと検出された代表画面のタイプから評価値を決定するテーブルの一例である。
【図４】ハードディスクレコーダの再生時の動作を説明するフローチャートである。
【図５】再生開始時におけるモニタ上でのグラフィカルユーザインタフェースの一例である。
【符号の説明】
１２  プリ映像信号処理回路，  １３  MPEGビデオエンコーダ，  １４  マルチプレクサ／デマルチプレクサ，  １７  バッファコントローラ，  １８  ハードディスクドライブ，  １９  MPEG AVデコーダ，  ２０  ポスト映像信号処理回路，  ２１  オンスクリーンディスプレイ回路，  ２４  ポスト音声信号処理回路，  ３１  システムコントローラ，  ３２  ホストバス，  ３３  ROM，  ３４  RAM，  ３６  ドライブ，  ４１  磁気ディスク，  ４２  光ディスク，４３  光磁気ディスク，  ４４  半導体メモリ，  ５２  特徴点検出器，  ５３  シーンチェンジ検出器，  ５４，６１  信号処理回路，  ６２  メモリ，  ７１  信号処理回路，  ７２  メモリ
【図１】
0004304839.tif 000002
【図２】
0004304839.tif 000003
【図３】
0004304839.tif 000004
【図４】
0004304839.tif 000005
【図５】
0004304839.tif 000006